(57)【要約】【課題】正面カバーを省略でき、美観を損ねることなくドラムの上方や下方を露出させることのできる回転ドラムユニットを提供する。【解決手段】フレーム１０の左半部１０ｂの左側の側面から、ドラム２０の回転軸方向右側において内フレーム１２が延びている。内フレーム１２内に、モータＭおよび制御基板４２を収容する。内フレーム１２の右側方に突出するモータＭに連結部材３５を取り付け、連結部材３５にドラム２０の連結部２２を取り付ける。これにより、ドラム２０の周面壁２１は、内フレーム１２を取り囲み、内フレーム１２や制御基板４２などをドラム２０内に収容する。このため、正面カバーを省略しても制御基板４２などが露出することはない。したがって、正面カバーを省略でき、美観を損ねることなくドラム２０の上方や下方を露出させることができる。【選択図】            図４
2004254958.tif 000002
【特許請求の範囲】
【請求項１】
ドラムと、
ドラムを回転可能に保持するためのフレームとを有し、
上記フレームには、ドラムの回転軸方向に延びる内フレームが含まれており、上記内フレーム内には、ドラムを回転させるためのモータおよび上記モータの制御基板が収容され、
上記ドラムは、上記ドラムの周面壁が内フレームを取り囲み、上記ドラムの輻の中心に内フレームから回転軸方向へ突出するモータ回転軸が連結されていることを特徴とする回転ドラムユニット。
【請求項２】
上記内フレームには、透光用の窓が形成されており、
上記内フレーム内には発光素子が収容され、当該発光素子は、上記窓を通してドラムの周面壁を内方から照らすことを特徴とする請求項１記載の回転ドラムユニット。
【請求項３】
上記内フレーム内に収容されたモータの制御基板には、外部回路と接続可能なように、上記回転軸方向にフレーム側方へ突出する接続基板が連結されていることを特徴とする請求項１または２記載の回転ドラムユニット。
【発明の詳細な説明】
【０００１】
【発明の属する技術分野】
この発明は、モータにより回転されるドラムを有する回転ドラムユニットに関し、特に、パチンコ機やスロットマシンなどに装着される回転ドラムユニットに関する。
【０００２】
【従来の技術】
たとえばパチンコ機には、ドラムを含む回転ドラムユニットを有するものがある。上記ドラムは、回転ドラムユニットのフレームに収容されていて、回転できるようになっている。
通常、ドラムはモータの回転軸に軸支されている。モータは、ドラムの軸方向側方に配置される制御基板などの板状部材に固定され、板状部材は、その端辺がフレームに支持されている。そして、板状部材（制御基板）には配線が接続されている。
【０００３】
通常、この回転ドラムユニットは、正面がカバーで覆われた状態で遊技機に取り付けられている。このカバーにより、ドラムの上方および下方、ならびに左右側方（軸方向両側方）は、遊技機正面から見て隠れるようになっており、遊技者から制御基板や配線などが見えないようになっている（たとえば、特許文献１参照）。
【０００４】
【特許文献１】
特開平５−３２９２５１号公報。
【０００５】
【発明が解決しようとする課題】
ところで、従来の回転ドラムユニットにおいて、ドラムの上方や下方を露出させてドラムの視認性を良くしようと、正面カバーを省略することを検討した。ところが、正面カバーを省略すると、制御基板や配線なども露出してしまい、見た目が極めて悪くなってしまうことがわかった。
また、制御基板は、ドラム側方に位置しており、ドラムをたとえば３つ横方向に並べた場合、横方向（ドラムの軸方向）の寸法が大きくなり、回転ドラムユニットが大型化していた。
【０００６】
この発明は、正面カバーを省略でき、美観を損ねることなくドラムの上方や下方を露出させることのできる回転ドラムユニットを提供することを目的とする。また、この発明の他の目的は、装置の省スペース化を達成できる回転ドラムユニットを提供することである。
【０００７】
【課題を解決するための手段および発明の効果】
上記の目的を達成するための請求項１記載の発明は、ドラム（２０）と、ドラムを回転可能に保持するためのフレーム（１０）とを有し、上記フレームには、ドラムの回転軸方向に延びる内フレーム（１２）が含まれており、上記内フレーム内には、ドラムを回転させるためのモータ（Ｍ）および上記モータの制御基板（４２）が収容され、上記ドラムは、上記ドラムの周面壁（２１）が内フレームを取り囲み、上記ドラムの輻（２３）の中心に内フレームから回転軸方向へ突出するモータ回転軸（４３）が連結されていることを特徴とする回転ドラムユニット（１）である。
【０００８】
なお、括弧内の英数字は、後述の実施形態における対応構成要素等を表す。以下、この項において同じ。
この発明によれば、ドラムの周面壁により取り囲まれた内フレーム内に、モータおよび制御基板が収容されている。すなわち、内フレームや制御基板などは、ドラム内に収容されている。このため、正面カバーを省略しても制御基板などが露出することはない。したがって、正面カバーを省略して、美観を損ねることなくドラムの上方や下方を露出させることができる。これにより、ドラムの視認性を良くすることができる。
【０００９】
また、制御基板をドラム内に収容しているため、ドラム側方に制御基板が位置することはない。このため、横方向（ドラムの軸方向）の寸法をより小さくして装置の省スペース化を達成することができる。
請求項２記載の発明は、上記内フレーム（１２）には、透光用の窓（１２８）が形成されており、上記内フレーム内には発光素子（５２）が収容され、当該発光素子は、上記窓を通してドラム（２０）の周面壁（２１）を内方から照らすことを特徴とする請求項１記載の回転ドラムユニット（１）である。
【００１０】
この発明によれば、発光素子を、モータおよび制御基板を収容する内フレーム内に収容しているので、ドラム内に収容される各部材の配置をコンパクトにすることができる。
請求項３記載の発明は、上記内フレーム（１２）内に収容されたモータ（Ｍ）の制御基板（４２）には、外部回路と接続可能なように、上記回転軸方向にフレーム（１０）側方へ突出する接続基板（４０）が連結されていることを特徴とする請求項１または２記載の回転ドラムユニット（１）である。
【００１１】
この発明によれば、接続基板はフレームから突出しており、この接続基板にフレームの外側からハーネスなどの接続部材を取り付けることができる。このため、フレーム内に接続部材を挿入する必要はなく、制御基板と外部回路との接続を容易に行うことができる。
【００１２】
【発明の実施の形態】
以下には、図面を参照して、この発明の実施形態について具体的に説明する。図１は、この発明の一実施形態にかかる回転ドラムユニット１の正面側の外観構成を示す斜視図であり、図２は、背面側の外観構成を示す斜視図である。この回転ドラムユニット１は、パチンコ機の遊技盤面に配置されるものである。
図１および図２を参照して、回転ドラムユニット１は、フレーム１０と、１個のドラム２０とを有している。フレーム１０は、ドラム２０を回転可能に保持するためのものである。フレーム１０は、正面の略全面に開口が形成されており、この開口の内側を視認できる状態で遊技盤面に取り付けられる。ドラム２０は、正面側の一部をフレーム１０の前方に突出させた状態で、フレーム１０の正面内方に配置されている。
【００１３】
フレーム１０の右側の側面はドラム２０の右側方に位置しており、略鉛直方向に延びてドラム２０の右側面の大部分を覆っている。フレーム１０の左側の側面は、ドラム２０の左側方に位置しており、略鉛直方向に延びてドラム２０の左側面の大部分を覆っている。
フレーム１０の底面は、ドラム２０の下方に位置し、後方に向けて略水平に延びており、ドラム２０の周面を下方から覆っている。フレーム１０の上面は、ドラム２０の周面上方を囲うように後方に延びつつ下側に湾曲し、さらにドラム２０の後方で略鉛直下方に延びて背面を構成し、フレーム１０の底面と繋がっている。これにより、フレーム１０は、ドラム２０の周面を上方および後方から覆っている。
【００１４】
フレーム１０の上面および底面は、右側の側面および左側の側面と接続されており、これら上面、底面および左右両側の側面により、フレーム１０は正面が開放された箱状の形状を有している。
また、フレーム１０の右側の側面とドラム２０との間、および左側の側面とドラム２０との間にはそれぞれ、遊技盤面を落下する遊技球をフレーム１０の奥側下方に導くための球通路３０が配置されている。各球通路３０は、フレーム１０の手前において、フレーム１０の上方からドラム２０の周面壁２１の下端側にかけて略鉛直下方に延び、さらにフレーム１０の奥側に延びている。遊技球は、各球通路３０の何れかにフレーム１０の手前側から入り、フレーム１０の奥側に導かれてフレーム１０の底面上に排出されるようになっている。
【００１５】
図３は、フレーム１０を分解した状態を示す斜視図である。図３を参照して、フレーム１０は、右半部１０ａと左半部１０ｂとを含み、左右２分割の構成となっている。
図４は、ドラム２０を支持する構成について説明するための斜視図である。図４を参照して、フレーム１０の左半部１０ｂには、左側の側面からドラム２０の回転軸方向（略水平方向。以下「軸方向」という）右側に延びる内フレーム１２が設けられている。
【００１６】
この実施形態において、内フレーム１２は、フレーム１０（の左半部１０ｂ）とは別部材により構成され、フレーム１０に固定される構成を説明するが、フレーム１０と内フレーム１２とを一体に形成してもよい。内フレーム１２は、ベースフレーム１２１とカバーフレーム１２２とを有している。
図５は、ベースフレーム１２１の構成を説明するための斜視図であり、図６は、正面図である。図６では、フレーム１０の左半部１０ｂの下部は省略している。また、図６では、接続基板４０、モータＭおよびこのモータＭの制御基板４２をベースフレーム１２１に取り付けた状態を示しており、制御基板４２は、一部を切り欠いて図示している。
【００１７】
図５および図６を参照して、ベースフレーム１２１は、正面が開放された箱状に形成されており、左端部がフレーム１０の左半部１０ｂの上端寄りに固定されている。このため、フレーム１０内の空間のうち、内フレーム１２の下方の空間が広くなっている。ベースフレーム１２１は、内フレーム１２の奥側半部を構成している。ベースフレーム１２１の内側の上端部には、接続基板４０を保持するための保持部１２３が設けられている。
【００１８】
保持部１２３は、奥側片１２４と、手前側片１２５とを有している。奥側片１２４は、軸方向に沿ってたとえば３つ並んでいる。各奥側片１２４の正面は、接続基板４０の背面の形状に対応して、軸方向に沿って互いに面一に形成されている。
手前側片１２５は、奥側片１２４より手前側において、軸方向に沿ってたとえば２つ並んでいる。各手前側片１２５の背面は、接続基板４０の正面の形状に対応して、軸方向に沿って互いに面一に形成されている。また、奥側片１２４と手前側片１２５とは、前後方向に、接続基板４０の略肉厚分の隙間を有している。ベースフレーム１２１の内側の下端部には、上端部と同様に保持部１２３が設けられている。
【００１９】
上記の構成により、接続基板４０は、奥側片１２４と手前側片１２５との間を通るように左方からベースフレーム１２１に押し込まれることで、保持部１２３に保持され、ベースフレーム１２１内に収容されるようになっている。
接続基板４０の左端部は、軸方向にフレーム１１の左側方へ突出している。接続基板４０の左端部の背面には、複数のコネクタ４１（図２参照）が取り付けられており、図示しないハーネスと接続できるようになっている。このハーネスなどを介して、接続基板４０はパチンコ機に備えられる図柄制御基板などの外部回路と接続できるようになっており、外部からの信号を受信できるようになっている。
【００２０】
ベースフレーム１２１の右端部には、ドラム２０を回転させるためのモータＭを保持するための保持溝１２６が設けられている。この保持溝１２６の正面の形状は、モータＭのケーシングの外表面の形状に対応する形状になっており、モータＭを嵌め込んでベースフレーム１２１内に収容できるようになっている。
また、ベースフレーム１２１には、保持溝１２６の上方および下方に、ベースフレーム１２１の右側方からモータＭの制御基板４２のコネクタ４５を挿通するための開口１２７が形成されている。
【００２１】
ベースフレーム１２１の右側の側面には、制御基板４２が取り付けられてベースフレーム１２１内に収容されている。制御基板４２の略中央部には開口４２ａが形成されており、モータＭのうち、回転軸４３が突出しているほうの一端部が嵌め込まれて制御基板４２と一体にされている。これにより、モータＭの回転軸４３は、ベースフレーム１２１から軸方向右側へ突出している。
接続基板４０の右端部には、コネクタ４５に対応するコネクタ４４がたとえば一対取り付けられており、コネクタ４４とコネクタ４５とはそれぞれ接続されている。これにより、接続基板４０と制御基板４２とは連結されている。
【００２２】
よって、制御基板４２は、接続基板４０を介して外部回路と接続可能となっている。外部回路からの信号を受けると、接続基板４０は、制御基板４２に信号を送信し、制御基板４２は、この信号に基づいてモータＭを駆動する。
図４を参照して、カバーフレーム１２２は、内フレーム１２の正面側半部を構成している。カバーフレーム１２２は、ベースフレーム１２１の正面側を覆うようにしてベースフレーム１２１に固定されている。
【００２３】
カバーフレーム１２２は、さらに、バックライトユニット５０の一部を構成している。バックライトユニット５０は、カバーフレーム１２２と、一対の基板５１と、各基板５１にたとえば横に３列、縦に２列の行列状に配置された発光素子５２とを含んでいる。
カバーフレーム１２２は、その略右半部が断面「く」字状に形成されており、鉛直方向略中央の屈曲部１２２ａの上側に位置する右上半部１２２ｂと、屈曲部１２２ａの下側に位置する右下半部１２２ｃとを有している。右上半部１２２ｂおよび右下半部１２２ｃにはそれぞれ、透光用の窓１２８がたとえば横に３列、縦に２列の行列状に形成されている。
【００２４】
カバーフレーム１２２の右上半部１２２ｂおよび右下半部１２２ｃにはそれぞれ、内側から基板５１が取り付けられ、各発光素子５２が対応する各窓１２８を通して、カバーフレーム１２２の外方に露出するようになっている。これにより、各発光素子５２は、ドラム２０の周面壁２１を内方から照らす。
モータＭの回転軸４３には、継手部材３５が一体回転可能に取り付けられている。この継手部材３５を介して、モータＭの回転軸４３とドラム２０とは一体回転可能に連結される。
【００２５】
ドラム２０は、連結部２２、および、連結部２２と周面壁２１とを連結する輻（スポーク）２３を有している。連結部２２は、ドラム２０の中心軸に重なるように配置されており、継手部材３５とドラム２０とを連結するためのものである。輻２３は、連結部２２と周壁部２１とを連結するためのものである。ドラム２０の右側面から見て、輻２３は、連結部２２の中心から放射状に複数本（たとえば６本）延びており、各輻２３の一端部はそれぞれ、周面壁２１の右端部に連結されている。
【００２６】
連結部２２は、モータＭの回転軸４３の軸線が連結部２２の中心を通るようにして、継手部材３５に連結されている。周面壁２１は、透光性を有しており、発光素子５２から発せられた光を通すようになっている。上記の構成により、ドラム２０を連結部材３５に連結することで、ドラム２０の周面壁２１は、内フレーム１２を取り囲む（図３参照）。
前述したように、左側の球通路３０のうち鉛直方向に延びる部分は、内フレーム１２の前方に位置している。また、左側の球通路３０の右側の側面には、内フレーム１２の一部を取り囲む円盤部材６０が取り付けられている。円盤部材６０には、挿通孔６０ａが形成されており、この挿通孔６０ａに内フレーム１２が挿通されている。これら左側の球通路３０および円盤部材６０により、内フレーム１２のうちドラム２０の左方に位置する部分が露出しないようになっている。
【００２７】
また、円盤部材６０の外周には、ドラム２０の周面壁２１の外径より大きな外径を有し、軸方向右側に延びる環状縁部６０ｂが形成されている。図１を参照して、ドラム２０の周面壁２１の左端部は、環状縁部６０ｂの内方に位置するようになっている。これにより、ドラム２０と円盤部材６０との間から内フレーム１２が露出しないようになっている。
また、右側の球通路３０には、左側の球通路３０と同様に円盤部材６１が取り付けられており、ドラム２０の周面壁２１の右端部は、円盤部材６１の環状縁部６１ｂの内方に位置するようになっている。
【００２８】
また、ドラム２０とフレーム１０の底面との間には、奥行きのある空間が含まれており、フレーム１０の底面に対してドラム２０が浮いたように見えるようになっている。
この実施形態によれば、ドラム２０の周面壁２１により取り囲まれた内フレーム１２内に、モータＭおよび制御基板４２が収容されている。すなわち、内フレーム１２や制御基板４２などは、ドラム２０内に収容されている。このため、正面カバーを省略しても制御基板４２などが露出することはない。したがって、正面カバーを省略して、美観を損ねることなくドラム２０の上方や下方を露出させることができる。これにより、ドラム２０の視認性を良くすることができる。
【００２９】
また、制御基板４２をドラム２０内に収容しているため、ドラム２０の側方に制御基板４２が位置することはない。このため、横方向（軸方向）の寸法をより小さくして装置の省スペース化を達成することができる。
さらに、発光素子５２を、モータＭおよび制御基板４２を収容する内フレーム１２内に収容しているので、ドラム２０内に収容される各部材の配置をコンパクトにすることができる。
【００３０】
また、接続基板４０はフレーム１０から突出しており、この接続基板４０にフレーム１０の外側からハーネスなどの接続部材を取り付けることができる。このため、フレーム１０内に接続部材を挿入する必要はなく、接続基板４０を介して、制御基板４２と外部回路との接続を容易に行うことができる。
この発明は、以上の実施形態の内容に限定されるものではなく、請求項記載の範囲内において種々の変更が可能である。
【００３１】
たとえば、フレーム１０の左側の側面にベースフレーム１２１を取り付ける構成を説明したが、フレーム１０の右側の側面にベースフレーム１２１を取り付ける構成であってもよい。また、回転ドラムユニットに装着されるドラムの個数は、１個に限らず、たとえば、２個であってもよいし、３個以上であってもよい。この発明の一実施形態として、パチンコ機に適用される回転ドラムユニットについて説明したが、この発明はパチンコ機に限らず、パチスロ機などの他の遊技機に適用することもできる。
【図面の簡単な説明】
【図１】この発明の一実施形態にかかる回転ドラムユニットの正面側の外観構成を示す斜視図である。
【図２】回転ドラムユニットの背面側の外観構成を示す斜視図である。
【図３】フレームを分解した状態を示す斜視図である。
【図４】ドラムを支持する構成について説明するための斜視図である。
【図５】ベースフレームの構成を説明するための斜視図である。
【図６】ベースフレームの構成を説明するための正面図である。
【符号の説明】
１      回転ドラムユニット
１０    フレーム
１２    内フレーム
２０    ドラム
２１    周面壁
２３    輻
４０    接続基板
４２    制御基板
４３    回転軸
５２    発光素子
１２８  窓
Ｍ      モータ
【図１】
2004254958.tif 000003
【図２】
2004254958.tif 000004
【図３】
2004254958.tif 000005
【図４】
2004254958.tif 000006
【図５】
2004254958.tif 000007
【図６】
2004254958.tif 000008